(57)【要約】【課題】詰替え用ロールステープルの生産性の向上を図る。【解決手段】ロールステープル２１の外周側端部の表面にテープ２２の端部を接着し、テープ２２を巻きつけてロールステープル２１を結束する。ステープルカートリッジ３１は、ガイド部３４のステープルの表面に相対する側にテープ引出し口３６を設けてあり、ステープル室３２にロールステープルを装填してテープ引出し口からテープを外へ引出して引っ張れば、ステープルの先端部が水平ガイド３５内へ導入される。ロールステープルの外周側端部の裏面にテープの端部を接着した従来のロールステープルよりもテープの接着及び結束が簡単であり、ロールステープルの生産性が向上する。【選択図】　図３
2004132482.tif 000002
【特許請求の範囲】
【請求項１】
ステープラのステープルカートリッジへ装填される補充用ロールステープルであって、ロール形に巻いたステープルの外周側端部の表面にテープの一端を接着し、テープをロールステープルの外周に巻きつけてテープの先端部を外周面に接着してロールステープルを結束したロールステープル。
【請求項２】
ステープラへ装着されるステープルカートリッジであって、ロールステープルを収容するステープル室と、ステープルをステープル室からステープラのドライバ部へ案内するガイド部とを備え、ガイド部にロールステープルの外周に巻かれた結束テープを引出すためのテープ引出し口を設けたステープルカートリッジにおいて、ガイド部のテープ引出し口をステープルの表面に相対する側に設けたことを特徴とするステープルカートリッジ。
【発明の詳細な説明】
【０００１】
【発明の属する技術分野】
この発明は、ステープラに用いるロールステープルならびにステープルカートリッジに関するものであり、特に、生産性を向上したロールステープルならびに前記ロールステープルを用いるステープルカートリッジに関するものである。
【０００２】
【従来の技術】
従来は、ステープラのステープルカートリッジ内のステープルを使い切ったときにカートリッジ全体を交換する使い捨て式ステープルカートリッジが一般的であったが、資源の節約および廃棄物の削減を図ってステープルカートリッジへステープルを補充できるようにした詰替え式ステープルカートリッジへの移行が進んでいる。この種のステープルカートリッジへの詰替え用に提供されているロールステープルは、ロールステープルの先端部の裏面にテープの後端部を接着し、テープをロールステープルの外周に一周以上巻きつけ、テープの先端部を接着してロールステープルを結束している。
【０００３】
図４及び図５はロールステープル１の装填手順を示し、図４に示すようにステープルカートリッジ１１のステープル室１２を覆っている開閉カバー１３を開け、ロールステープル１を結束しているテープ２の先端部２ａを剥がし、ロールステープル１を所定の姿勢（ロールステープルの下面から前方へステープルが引出される向き）でステープル室１２へ装填する。図５に示すように、ステープル室１２から前方へ延びるガイド部１４の上面にはテープ引出し口１５が設けられていて、テープ２をテープ引出し口１５から外へ引出し、開閉カバー１３を閉めた後にテープ２の先端部２ａを持って前方あるいは上方へ引けば、ロールステープル１が回転してその先端部が前方へ送られる。そして、ロールステープル１の先端部はガイド部１４内の水平ガイド１６内を直進し、テープ２とロールステープル１の接着部位がテープ引出し口１５に達したときにロールステープル１からテープ２が剥がれて上方へ引抜かれ、ロールステープル１のセットが完了する。
【０００４】
【発明が解決しようとする課題】
従来の詰替え用ロールステープルは、上記の装填手順において述べたように、ロールステープルの裏面に接着したテープを引っ張ってロールステープルの先端部をステープルカートリッジのガイド部内に案内するように構成している。したがって、製造工程においてロール形に巻かれたステープルの先端部をめくってテープを接着しなければならず、テープ接着工程の自動化が困難であるので接着及び結束を手作業によっており生産性が低いという問題を有している。そこで、ロールステープルの生産を自動化できるようにして生産性を向上するために解決すべき技術的課題が生じてくるのであり、本発明は上記課題を解決することを目的とする。
【０００５】
【課題を解決するための手段】
この発明は、上記目的を達成するために提案するものであり、ステープラのステープルカートリッジへ装填される補充用ロールステープルであって、ロール形に巻いたステープルの外周側端部の表面にテープの一端を接着し、テープをロールステープルの外周に巻きつけてテープの先端部を外周面に接着してロールステープルを結束したロールステープルを提供するものである。
【０００６】
また、ステープラへ装着されるステープルカートリッジであって、ロールステープルを収容するステープル室と、ステープルをステープル室からステープラのドライバ部へ案内するガイド部とを備え、ガイド部にロールステープルの外周に巻かれた結束テープを引出すためのテープ引出し口を設けたステープルカートリッジにおいて、ガイド部のテープ引出し口をステープルの表面に相対する側に設けたことを特徴とするステープルカートリッジを提供するものである。
【０００７】
【発明の実施の形態】
以下、この発明の実施の一形態を図に従って詳述する。図１はロールステープル２１を示し、多数の直線ステープルを並列に接着したベルト状ステープルを巻取機にて巻取ってロールとし、外周側端部の表面にテープ２２の後端部２２ａを接着し、テープ２２をロールステープル２１の外周に一周以上巻きつけてテープ２２の先端部２２ｂをテープ２２の外周面に接着している。即ち、従来のロールステープルとの相違は、テープ２２をロールステープル２１の先端部の裏面ではなく表面に接着していることにあり、これによりロール成形工程に続くテープ接着及び結束工程を自動化することが容易である。
【０００８】
図２に示すステープルカートリッジ３１は、ステープル室３２の底面部に開閉カバー３３を配置し、ステープルカートリッジ３１の下側からロールステープル２１を装填するようにしている。開閉カバー３３を閉じた状態でガイド部３４の水平ガイド３５の後端と開閉カバー３３の前端とには間隙があり、この間隙がテープ引出し口３６となっている。即ち、ステープル室３２から引出されたステープルの表面側（図において下側）にテープ引出し口３６を設けている。これに対して、図５に示す従来例においてはステープル室１２から引出されたステープルの裏面側（図において上側）にテープ引出し口１５が設けられており、このためテープ２をロールステープル１の先端部の裏面に接着する必要があるが、本発明はステープルの表面側にテープ引出し口３６を設けたことにより、ステープルの表面にテープ２２を接着したロールステープル２１の使用が可能となっている。
【０００９】
図２及び図３はロールステープル２１の装填手順を示し、図２に示すようにステープルカートリッジ３１のステープル室３２を覆っている開閉カバー３３を開け、ロールステープル２１を結束しているテープ２２の先端部２２ｂを剥がし、ロールステープル２１をロールステープルの下面側からステープルが前方へ送り出される向きにしてステープル室３２へ装填する。そして、テープ２２の先端を下方へ垂らした状態で開閉カバー３３を閉じれば、図３に示すようにテープ引出し口３６からテープ２２が引出されたかたちとなる。続いて、テープ２２を下方へ引くとロールステープル２１が回転し、ロールステープル２１の先端部はガイド部３４内の水平ガイド３５の間へ導入されて前方へ送られ、テープ２２の後端部２２ａとロールステープル２１の接着部位がテープ引出し口３６に達したときにロールステープル２１からテープ２２が引剥がされてロールステープル２１のセットが完了する。
【００１０】
尚、この発明は上記の実施形態に限定するものではなく、この発明の技術的範囲内において種々の改変が可能であり、この発明がそれらの改変されたものに及ぶことは当然である。
【００１１】
【発明の効果】
以上説明したように、従来はロールステープルの外周側端部の裏面に結束用テープを接着するのでテープ接着作業の自動化が困難であったが、本発明のロールステープルは外周側端部の表面に結束用テープを接着するので、テープ接着作業の自動化が容易であり、生産性が著しく向上する。また、本発明のステープルカートリッジによれば、上記のロールステープルの結束テープを引抜くことによりロールステープルのセットが完了し、装填が極めて簡単である。
【図面の簡単な説明】
【図１】本発明の実施の一形態を示し、ロールステープルの側面図。
【図２】ステープルカートリッジとロールステープルの側面図。
【図３】ステープルカートリッジとロールステープルの側面図。
【図４】従来例を示し、ステープルカートリッジとロールステープルの側面図。
【図５】従来例を示し、ステープルカートリッジとロールステープルの側面図。
【符号の説明】
２１　　　　　ロールステープル
２２　　　　　テープ
２１ａ　　　　後端部
２１ｂ　　　　先端部
３１　　　　　ステープルカートリッジ
３２　　　　　ステープル室
３３　　　　　開閉カバー
３４　　　　　ガイド部
３５　　　　　水平ガイド
３６　　　　　テープ引出し口
【図１】
2004132482.tif 000003
【図２】
2004132482.tif 000004
【図３】
2004132482.tif 000005
【図４】
2004132482.tif 000006
【図５】
2004132482.tif 000007